(57)【要約】【課題】  液晶表示装置において、アース金具などを余分に用いないにもかかわらず、人体の静電気が飛び込んだ場合にその静電気を縁枠部材から背板部材に導くことができるようにして液晶パネルに悪影響が及ぶことを防ぐ。【解決手段】  樹脂製の枠フレーム１の両側に、液晶パネル５を取り囲む金属製の縁枠部材６と、回路基板２００を装備した金属製の背板部材８とを配備してそれらを枠フレーム１にビス止めする。ビス止め箇所をコーナ部の４箇所とし、それらの各ビス止め箇所のビス１０によって、縁枠部材６を背板部材８に電気的に導通させるアース電路を形成させる。【選択図】        図１
2006350216.tif 000002
【特許請求の範囲】
【請求項１】
略矩形環状の樹脂製の枠フレームを挟んで、その両側に、テレジジョン受像機用の液晶パネルの周囲を取り囲んでその液晶パネルを上記枠フレームとの間に挾み込む金属製の縁枠部材と、その縁枠部材よりも厚肉に形成されて回路基板を装備した金属製の背板部材とが、その枠フレームに対してビス止めされた状態で配備され、それらの縁枠部材と背板部材とが、それらに個別にビス止めしたアース金具によって電気的に導通されている液晶表示装置において、
上記枠フレームがその４つの辺部に跨がって延びるフランジを有し、
その枠フレームの１つの対辺方向の両側で、上記縁枠部材の１つの対辺方向の両側のそれぞれに連設されたビス挿通孔を有する第１取付片と上記背板部材の１つの対辺方向の両側のそれぞれに連設されたねじ孔を有する第２取付片とが上記フランジの同一箇所を挟んで配備されていると共に、それらの第１取付片と第２取付片とが、第１取付片の上記ビス挿通孔と上記フランジに開設されている貫通孔を挿通させて第２取付片のねじ孔にねじ込んだ頭付きビスでそのフランジに対して締め付けられてそのフランジに結合され、上記アース金具とそのアース金具を上記縁枠部材と背板部材とにビス止めしている取付けビスを省略することに代えて、上記各取付片及びビスによって上記縁枠部材を上記背板部材に電気的に導通させるアース電路を形成させ、かつ、そのアース電路を形成している上記ビスによる第１取付片と第２取付片との結合箇所を、上記枠フレームの４つのコーナ部のそれぞれの近傍箇所に位置させてあり、
上記縁枠部材が、上記アース電路を形成している上記ビスによる第１取付片と第２取付片との結合箇所のみで上記フランジに結合されているのに対し、上記背板部材は、他の１つの対辺方向の両側のそれぞれに突出片が連設されて、それらの突出片が上記枠フレームの他の１つの対辺方向の両側で上記フランジに重ね合わされ、それらの突出片の少なくとも一方側が上記フランジにビス止めされていることを特徴とする液晶表示装置。
【請求項２】
樹脂製の枠フレームを挟んで、その両側に、液晶パネルの周囲を取り囲んでその液晶パネルを上記枠フレームとの間に挾み込む金属製の縁枠部材と、回路基板を装備した金属製の背板部材とが、その枠フレームに対してビス止めされた状態で配備されている液晶表示装置において、
略矩形環状の上記枠フレームがその４つの辺部に跨がって延びるフランジを有し、その枠フレームの１つの対辺方向の両側で、上記縁枠部材の１つの対辺方向の両側のそれぞれに連設された第１取付片と上記背板部材の１つの対辺方向の両側のそれぞれに連設された第２取付片とが上記フランジの同一箇所を挟んで配備されていると共に、それらの第１取付片と第２取付片とが、上記フランジに開設されている貫通孔を挿通するビスでそのフランジに対して締め付けられてそのフランジに結合され、それらの各取付片及びビスが、上記縁枠部材を上記背板部材に電気的に導通させるアース電路を形成し、そのアース電路を形成している上記ビスによる第１取付片と第２取付片との結合箇所が、上記枠フレームの４つのコーナ部のそれぞれの近傍箇所に位置していることを特徴とする液晶表示装置。
【請求項３】
上記第１取付片及び上記第２取付片の一方側にビス挿通孔が開設され、他方側にねじ孔が形成されていて、それらの各突片と上記フランジとの重なり箇所で上記ビス挿通孔と上記貫通孔とに挿通された頭付きビスでなる上記ビスが上記ねじ孔にねじ込まれている請求項２に記載した液晶表示装置。
【請求項４】
上記縁枠部材が、上記アース電路を形成している上記ビスによる第１取付片と第２取付片との結合箇所のみで上記フランジに結合されているのに対し、上記背板部材は、他の１つの対辺方向の両側のそれぞれに突出片が連設されて、それらの突出片が上記枠フレームの他の１つの対辺方向の両側で上記フランジに重ね合わされている請求項３に記載した液晶表示装置。
【請求項５】
上記突出片が、上記フランジにビス止めされている請求項４に記載した液晶表示装置。
【発明の詳細な説明】
【技術分野】
【０００１】
本発明は、たとえばテレビジョン受像機に採用される液晶表示装置、特に、液晶パネルの周囲に配備されるベゼルと呼ばれる金属製の縁枠部材を、その液晶パネルの背部に配備されるリアフレームと呼ばれる金属製の背板部材に電気的に導通させることによって、人体の静電気が液晶パネルや制御用の回路基板などに悪影響を及ぼすことを防ぐ対策を講じた液晶表示装置に関する。
【背景技術】
【０００２】
従来、ＬＣＤ（液晶ディスプレイ）パネルといった表示パネルが組み込まれる表示パネルモジュールにおいて、ＬＣＤパネルモジュールから放射される電磁波を抑制するために、ベゼルに組み込んだＬＣＤパネルの背後に導電性シートを配置し、その導電性シートとベゼルとを電気的に導通させることによってベゼルによるループアンテナの機能を阻害することが知られていた（たとえば、特許文献１参照）。また、大画面に好適なバックライト直下型の液晶表示装置において、バックライトとしての蛍光ランプや反射板を収容したリアシャーシと液晶パネルを固定しているベゼルとを、両者の間に配備した金属製の中間枠によって電気的に導通させ、ベゼル又はリアシャーシをグランド電位に接地することによって高周波ノイズの電荷を放出する技術も提案されていた（たとえば、特許文献２参照）。
【０００３】
一方、図６は参考例による液晶表示装置の要部を示した概略分解斜視図である。この液晶表示装置は、略矩形環状の樹脂成形体でなる枠フレーム１を挟んで、その両側に、テレジジョン受像機用の液晶パネル（液晶セル）５の周囲を取り囲んでその液晶パネル５を枠フレーム１との間に挾み込む金属製の縁枠部材（ベゼル）６と、その縁枠部材６よりも厚肉の板金を用いて形成された背板部材（リアフレーム）８とが配備されていて、背板部材８の外面側には、液晶パネルを駆動することなどに用いられる回路基板（不図示）が取り付けられている。そして、縁枠部材６がビス３を用いて複数箇所で枠フレーム１に固定され、同様に、背板部材８が図示していないビスを用いて複数箇所で枠フレーム１に固定されていた。なお、図６において、９は横長の中継基板で、この中継基板９は、背板部材８に取り付けられた上記回路基板と液晶パネル５の電極とを接続するために必要とされ、背板部材８の一辺、具体的には上辺部に沿って配備される。
【０００４】
以上の構成を有する液晶表示装置では、人体の静電気が飛び込んで液晶パネル５に悪影響を及ぼすことを防ぐための対策として、液晶パネル５を枠フレーム１に固定している縁枠部材６を活用することが有益であることが判っている。
【０００５】
そこで、この参考例では、人体の静電気を縁枠部材６で集めて背板部材８に逃がし、さらに、背板部材８からそれに取り付けられている回路基板のアースパターンに逃がすようにするためにアース金具１００を用いた。このアース金具１００は、図７のように板金を複雑な形状に曲げ加工することによって形成されていて、その一端部１１０が図６のように上記ビス３の１つを用いて縁枠部材６に共締めされ、その他端部１２０が図６のようにビス４を用いて背板部材８に結合される。
【０００６】
この構成の液晶表示装置において、縁枠部材６は、当該液晶表示装置の設置箇所に人体の静電気が飛び込んだ場合に、その静電気を導通させて液晶パネル５や回路基板に悪影響が及ぶことを防ぐことに役立つ。すなわち、人体の静電気が当該液晶表示装置の設置箇所に飛び込むと、その静電気が縁枠部材６、アース板１００、背板部材８、上記回路基板をこの順に導通してＡＣ電源コードに流れ、接地側へ逃がされる。
【特許文献１】特開２００２−２６８５６６号公報
【特許文献２】特開２００４−２９６６３号公報
【発明の開示】
【発明が解決しようとする課題】
【０００７】
しかしながら、図６を参照して説明した参考例によると、縁枠部材６を枠フレーム１に固定するためのビス３でアース金具１００をその縁枠部材６に共締めしてはいるものの、複雑な形状のアース金具１００やそのアース金具１００を背板部材８に結合しているビス４が必要である。その結果、アース金具やその取り付けのためのビスが余分に必要になり、組立工数や必要部品点が増加してコストダウンを図ることの障害になっていた。
【０００８】
本発明は以上の状況に鑑みてなされたものであり、アース金具やアース金具を取り付けるためのビスを余分に用いる必要を無くすることができるにもかかわらず、人体の静電気が飛び込んだ場合にその静電気を縁枠部材から背板部材に導くことができるようにして液晶パネルや回路基板に悪影響が及ぶことを防ぐことのできる液晶表示装置を提供することを目的とする。
【０００９】
また、本発明は、縁枠部材を背板部材に電気的に導通させるアース電路をビスによって形成させることができるようにすると共に、そのビスを、縁枠部材や背板部材の枠フレームへの取付強度を高めることに役立たせることのできる液晶表示装置を提供することを目的とする。
【００１０】
さらに、本発明は、特に２０インチ程度の大サイズの液晶パネルやその回路基板への静電気の影響を、必要部品点数を増加させずに有効に防ぐことのできる液晶表示装置を提供することを目的とする。
【課題を解決するための手段】
【００１１】
本発明に係る液晶表示装置は、樹脂製の枠フレームを挟んで、その両側に、液晶パネルの周囲を取り囲んでその液晶パネルを上記枠フレームとの間に挾み込む金属製の縁枠部材と、回路基板を装備した金属製の背板部材とが、その枠フレームに対してビス止めされた状態で配備されている。そして、略矩形環状の上記枠フレームがその４つの辺部に跨がって延びるフランジを有し、その枠フレームの１つの対辺方向の両側で、上記縁枠部材の１つの対辺方向の両側のそれぞれに連設された第１取付片と上記背板部材の１つの対辺方向の両側のそれぞれに連設された第２取付片とが上記フランジの同一箇所を挟んで配備されていると共に、それらの第１取付片と第２取付片とが、上記フランジに開設されている貫通孔を挿通するビスでそのフランジに対して締め付けられてそのフランジに結合され、それらの各取付片及びビスが、上記縁枠部材を上記背板部材に電気的に導通させるアース電路を形成し、そのアース電路を形成している上記ビスによる第１取付片と第２取付片との結合箇所が、上記枠フレームの４つのコーナ部のそれぞれの近傍箇所に位置している。
【００１２】
この構成であると、人体の静電気が当該液晶表示装置の設置箇所に飛び込んだ場合に、その静電気が縁枠部材に流れた後、第１及び第２の各取付片及びビスによって形成されているアース電路を通って背板部材に逃がされるので、液晶パネルに静電気による悪影響が及ぶことを防止することが可能になる。したがって、図６や図７で説明したアース金具１００やそれを取り付けるためのビスを用いる必要がなくなる。また、そのアース電路を形成している上記ビスによる第１取付片と第２取付片との結合箇所が、上記枠フレームの４つのコーナ部のそれぞれの近傍箇所に位置していることにより、略矩形の縁枠部材や背板部材が枠フレームに対して周囲４箇所の各コーナ部の近傍箇所で結合されることになり、そのことが、縁枠部材や背板部材に要求される枠フレームに対する取付強度を十分に大きく確保することが可能になると共に、縁枠部材に流れた静電気がその周囲４箇所の各コーナ部に分散して背板部材に逃がされることになり、そのことが、縁枠部材からの静電気の二次放出を防ぐことに役立つ。
【００１３】
本発明では、上記第１取付片及び上記第２取付片の一方側にビス挿通孔が開設され、他方側にねじ孔が形成されていて、それらの各突片と上記フランジとの重なり箇所で上記ビス挿通孔と上記貫通孔とに挿通された頭付きビスでなる上記ビスが上記ねじ孔にねじ込まれているいう構成を採用することが可能であり、これによれば、アース電路を形成するビスが汎用的な頭付きビスであるためにそのビスが安価であるという利点がある。
【００１４】
本発明では、上記縁枠部材が、上記アース電路を形成している上記ビスによる第１取付片と第２取付片との結合箇所のみで上記フランジに結合されているのに対し、上記背板部材は、他の１つの対辺方向の両側のそれぞれに突出片が連設されて、それらの突出片が上記枠フレームの他の１つの対辺方向の両側で上記フランジに重ね合わされている、という構成を採用することが可能であり、これによれば、比較的軽量な縁枠部材がアース電路を形成しているビスだけで枠フレームにビス止めされるのに対し、縁枠部材に比べて厚肉で重量が重い背板部材の突出片が枠フレームのフランジに重なり合ってそのフランジを補強することに役立つ。
【００１５】
本発明では、上記突出片が、上記フランジにビス止めされていることが望ましく、これによれは、縁枠部材に比べて厚肉で重量が重い背板部材が枠フレームに、アース電路の形成箇所以外の箇所でも固定されるために、それだけ背板部材の取付強度が向上する。
【００１６】
本発明に係る液晶表示装置は、略矩形環状の樹脂製の枠フレームを挟んで、その両側に、テレジジョン受像機用の液晶パネルの周囲を取り囲んでその液晶パネルを上記枠フレームとの間に挾み込む金属製の縁枠部材と、その縁枠部材よりも厚肉に形成されて回路基板を装備した金属製の背板部材とが、その枠フレームに対してビス止めされた状態で配備され、それらの縁枠部材と背板部材とが、それらに個別にビス止めしたアース金具によって電気的に導通され、それらの縁枠部材と背板部材とが、それらに個別にビス止めしたアース金具によって電気的に導通されている液晶表示装置において、上記枠フレームがその４つの辺部に跨がって延びるフランジを有し、その枠フレームの１つの対辺方向の両側で、上記縁枠部材の１つの対辺方向の両側のそれぞれに連設されたビス挿通孔を有する第１取付片と上記背板部材の１つの対辺方向の両側のそれぞれに連設されたねじ孔を有する第２取付片とが上記フランジの同一箇所を挟んで配備されていると共に、それらの第１取付片と第２取付片とが、第１取付片の上記ビス挿通孔と上記フランジに開設されている貫通孔を挿通させて第２取付片のねじ孔にねじ込んだ頭付きビスでそのフランジに対して締め付けられてそのフランジに結合され、上記アース金具とそのアース金具を上記縁枠部材と背板部材とにビス止めしている取付けビスを省略することに代えて、上記各取付片及びビスによって上記縁枠部材を上記背板部材に電気的に導通させるアース電路を形成させ、かつ、そのアース電路を形成している上記ビスによる第１取付片と第２取付片との結合箇所を、上記枠フレームの４つのコーナ部のそれぞれの近傍箇所に位置させてあり、上記縁枠部材が、上記アース電路を形成している上記ビスによる第１取付片と第２取付片との結合箇所のみで上記フランジに結合されているのに対し、上記背板部材は、他の１つの対辺方向の両側のそれぞれに突出片が連設されて、それらの突出片が上記枠フレームの他の１つの対辺方向の両側で上記フランジに重ね合わされ、それらの突出片の少なくとも一方側が上記フランジにビス止めされている、という構成を採用することによっていっそう具体化される。この発明の作用は後述する実施形態を参照して詳細に説明する。
【発明の効果】
【００１７】
以上説明したように、本発明によれば、縁枠部材に設けた第１取付片と背板部材に設けた第２取付片とをビスで枠フレームのフランジに締め付けて固定するだけでアース電路が形成され、そのアース電路を介して縁枠部材に流れた静電気を背板部材に逃がすことができるようになるので、図６で説明したアース金具やそれを取り付けるためのビスを省略しても、ビスの必要本数を増加させずに液晶パネルや回路基板に静電気による悪影響が及びにくくなる。したがって、液晶表示装置を安価に提供することができる上、ユーザは、ユーザ自身の静電気が液晶パネルに悪影響を及ぼすことを心配せずに使用することができるようになる。
【発明を実施するための最良の形態】
【００１８】
図１は本発明に係る液晶表示装置の要部の概略分解斜視図、図２は同液晶表示装置の正面図、図３は同液晶表示装置の背面図、図４は背板部材８の背面図、図５は図３のＶ−Ｖ線に沿う部分の拡大断面図である。
【００１９】
この実施形態の液晶表示装置は、２０インチ程度の大サイズの液晶パネル５を用いたテレビジョン受像機用として形成されていて、図１のように、その主要な構成要素に、略矩形環状に形作られた樹脂製の枠フレーム１と、金属製の縁枠部材６と、金属製の背板部材８とを備えているほか、その他の構成要素として反射シート２１、バックライトとしての蛍光管２２、光拡散シート２３などを備えているのに対し、図６や図７に示したアース金具１００やそれを取り付けるためのビス３，４は不要である。
【００２０】
枠フレーム１は、４つの辺部に跨がって延びるフランジ１２を有していて、図２及び図３に示したように、そのフランジ１２の上辺部分及び左側辺部分は両端を残してその中央部分が欠除されている。この枠フレーム１は、蛍光管２２などを収容する空間を形成することに役立っているほか、液晶パネル５に重なり合ってその液晶パネル５を補強することにも役立っている。
【００２１】
縁枠部材６は矩形環状に形作られていてその各辺部がＬ字形の断面形状を有し、枠フレーム１に載架された液晶パネル５の周囲に嵌め込まれてその液晶パネル５の全体を取り囲んでいると共に（図５参照）、その縁枠部材６の左右両側（１つの対辺方向の両側）のそれぞれに連設されたビス挿通孔６３（図５参照）を有する第１取付片６１，６２を有している。この実施形態では、図２のように、縁枠部材６の左側の第１取付片６１では、その縦方向中央部が欠除されているのに対し、縁枠部材６の右側の第１取付片６２は縁枠部材６の縦長さの全長部分に亘って延びている。
【００２２】
これに対し、略矩形に形成された背板部材８は平板材を曲げ加工することにより製作されていて、その左右の各辺部にねじ孔８５（図４又は図５参照）を有する第２取付片８２，８４を備えていると共に、上辺部と下辺部とに突出片８１，８３を備えている。そして、左側の第２取付片８４と上辺部の突出片８１とは、その両端を残してその中央部分が欠除されている。
【００２３】
そして、図２、図３又は図５に示したように、枠フレーム１の左側で、縁枠部材６の上下の第１取付片６１，６１と背板部材８の第２取付片８２，８２とが、その枠フレーム１のフランジ１２の同一箇所を挟んで配備されていると共に、それらの第１取付片６１，６１と第２取付片８２，８２とが、第１取付片６１，６１のビス挿通孔６３とフランジ１２に開設されている貫通孔１３とを挿通させて第２取付片８２のねじ孔８５にねじ込んだ頭付きビスでなるビス１０でそのフランジ１２に対して締め付けられてそのフランジ１２に結合されている。枠フレーム１の右側でも同様に、縁枠部材６の第１取付片６２と背板部材８の第２取付片８４とが、その枠フレーム１のフランジ１２の同一箇所を挟んで配備され、それらの第１取付片６２と第２取付片８４とが、第１取付片６２のビス挿通孔とフランジ１２の貫通孔とを挿通させて第２取付片８４のねじ孔にねじ込んだ頭付きビスでなるビス１０でそのフランジ１２に対して締め付けられてそのフランジ１２に結合されている。
【００２４】
縁枠部材６は枠フレーム１の４つのコーナ部の近傍箇所のビス止め箇所ａ，ｂ，ｃ，ｄでのみ枠フレーム１にビス止めされているのに対し、背板部材８はそれらの４箇所に加えて、上辺部の左右の突出片８１，８１を枠フレーム１の上辺部でそのフランジ１２にビス１０ａを用いてビス止めしてあり、下辺部の突出片８３は枠フレーム１の下辺部でフランジ１２に重ね合わせてある。
【００２５】
上記した４箇所のビス止め箇所ａ，ｂ，ｃ，ｄで枠フレーム１に対して縁枠部材６及び背板部材８を結合しているビス１０は、導電性を有する金属製であり、また、第１取付片６１，６２や第２取付片８２，８４も縁枠部材６や背板部材８に一体に連設された金属片でなるので、それらの各取付片６１，６２，８２，８４及びビス１０によって、上記各ビス止め箇所ａ，ｂ，ｃ，ｄでは、縁枠部材６を背板部材８に電気的に導通させるアース電路が形成されている。
【００２６】
また、背板部材８の上辺部の突出片８１，８１がフランジ１２にビス止めされていることにより、枠フレーム１に対するこの背板部材８の取付強度が、上記した４箇所のビス止め箇所ａ，ｂ，ｃ，ｄと上辺部の２箇所のビス止め箇所とによって十分に大きく確保され、さらに、背板部材８の下辺部の突出片８３がフランジ１２に重ね合わされていることにより、そのフランジ１２を有する枠フレーム１が補強される。したがって、２０インチ程度の大サイズの液晶パネル５を用いた液晶表示装置であっても、液晶パネル５の強度が十分に大きく確保される。
【００２７】
図３のように、背板部材８の外面側に上記した液晶パネル５を駆動する制御用の回路基板２００が取り付けられていて、その回路基板２００と液晶パネル５の上端や側端に並んでいる電極（不図示）とが、背板部材８の上辺部で左右の取付片８１，８１の相互間空間に設置した横長の中継基板９１や、背板部材８の左側の第２取付片８２，８２の相互間空間に設置した縦長の中継基板９２を介して接続されている。このように背板部材８には、回路基板２００などの取付強度を確保することのできる十分に大きな剛性が付与されている必要があることから、その背板部材８は上記した縁枠部材６よりも厚肉の平板材を用いて製作されている。そして、そのような厚肉の背板部材８に連設されている第２取付片８２，８４にビス１０がねじ込んで締め付けられるねじ孔８５が形成されているので、ビス１０による十分な締付け力が得られて、縁枠部材６と背板部材８とが強固にフランジ１２に取り付けられる。
【００２８】
以上のように構成された液晶表示装置によると、当該液晶表示装置の設置箇所に飛び込んだ人体の静電気が、液晶パネル５や回路基板２００、中継基板９１，９２などに悪影響を与えることなく縁枠部材６に流れ、アース電路を経て背板部材８に逃がされ、さらに、その背板部材８から回路基板２００のアースパターンを経て接地側に逃がされる。したがって、図６や図７で説明したアース金具１００やそれを取り付けるためのビス３，４を省略しているにもかかわらず、静電気による悪影響が液晶パネル５や回路基板２００、中継基板９１，９２などに及ばない。特に、この実施形態では、縁枠部材６の４箇所のコーナ部の近傍箇所をビス止めしてそれらの箇所にアース電路を形成しているので、その縁枠部材６の周囲４箇所の各コーナ部に静電気が分散し、それぞれのアース電路を経て背板部材８に逃がされることにより、静電気の逃がし効率が向上して縁枠部材６からの静電気の二次放出が防止される。
【００２９】
以上では、２０インチ程度の大サイズの液晶パネル５を備えたテレビジョン受像機用の液晶表示装置を例示したけれども、この実施形態と同様の構成を、１５インチという比較的小サイズの液晶パネルを備えたテレビジョン受像機の液晶表示装置やその他のＡＶ機器の液晶表示装置に適用することは勿論可能である。
【００３０】
この実施形態では、縁枠部材６を４箇所のビス止め箇所ａ，ｂ，ｃ，ｄで枠フレーム１に結合し、かつ、その４箇所のすべてにアース電路を形成しているけれども、この点は、たとえば、アース電路の形成箇所を上記４箇所のうちの１箇所だけ、あるいは、２箇所又は３箇所だけに定めることが可能である。また、縁枠部材６に、枠フレーム１に形成した突起に係止させて縁枠部材６と枠フレーム１との結合を補助させてもよい。
【図面の簡単な説明】
【００３１】
【図１】本発明に係る液晶表示装置の要部の概略分解斜視図である。
【図２】同液晶表示装置の正面図である。
【図３】同液晶表示装置の背面図である。
【図４】背板部材の背面図である。
【図５】図３のＶ−Ｖ線に沿う部分の拡大断面図である。
【図６】参考例に係る液晶表示装置の要部の概略分解斜視図である。
【図７】アース金具の拡大斜視図である。
【符号の説明】
【００３２】
１  枠フレーム
５  液晶パネル
６  縁枠部材
８  背板部材
１０  ビス（頭付きビス）
１２  フランジ
１３  貫通孔
６１，６２  第１取付片
６３  ビス挿通孔
８１，８３  突出片
８２，８４  第２取付片
８５  ねじ孔
１００  アース金具
２００  回路基板
【図１】
2006350216.tif 000003
【図２】
2006350216.tif 000004
【図３】
2006350216.tif 000005
【図４】
2006350216.tif 000006
【図５】
2006350216.tif 000007
【図６】
2006350216.tif 000008
【図７】
2006350216.tif 000009